(57)【要約】【課題】どのような使用環境であっても、常に良好な印刷品質を実現可能な技術を提供する。【解決手段】仮印刷読取データ取得部は、仮印刷物を読み取って取得した仮印刷読取データを表示部に表示させる。ユーザが、仮印刷読取データが表示された仮印刷読取データ表示画面３００を介して仮印刷物内の位置を選択すると、選択領域対応ヘッド特定部が、受け付けた選択位置に対する印刷を行ったヘッドを特定し、これを補正対象のヘッドとする。濃度補正部は、補正対象のヘッドが担当する印刷領域の濃度を補正する。【選択図】図１３
2011206932.tif 000002
【特許請求の範囲】
【請求項１】
吐出ヘッドの吐出口から印刷媒体に向けてインクの液滴を吐出させることによって印刷を行うインクジェット方式の印刷装置であって、
印刷方向に対して交差する方向を幅方向とし、前記印刷媒体の前記幅方向の全体にわたって配列された複数の前記吐出ヘッドと、
前記印刷媒体と前記複数の吐出ヘッドとを前記印刷方向について相対的に移動する搬送部と、
前記搬送部を制御して前記印刷媒体と前記複数の吐出ヘッドとを前記印刷方向に相対的に移動させつつ、印刷データに基づいて前記吐出ヘッドからインクの液滴を吐出させる印刷制御部と、
印刷後の前記印刷媒体である印刷物を撮像する撮像部と、
前記複数の吐出ヘッドのうち、補正対象とすべき対象吐出ヘッドを特定する対象吐出ヘッド特定部と、
を備え、
前記対象吐出ヘッド特定部が、
前記撮像部が取得した前記印刷物の撮像データを表示部に表示させる表示制御部と、
前記撮像データを表示する表示画面を介してユーザから前記印刷物内の位置選択を受け付けて、受け付けた選択位置に対する印刷を行った吐出ヘッドを特定し、当該吐出ヘッドを前記対象吐出ヘッドとする選択位置対応ヘッド特定部と、
を備える印刷装置。
【請求項２】
請求項１に記載の印刷装置であって、
前記対象吐出ヘッドが担当する印刷領域の濃度を補正する濃度補正部、
を備える印刷装置。
【請求項３】
請求項２に記載の印刷装置であって、
前記濃度補正部が、
前記印刷データを、前記複数の吐出ヘッドのそれぞれが担当する印刷領域に対応する部分領域に分割し、各部分領域内にある画素の階調値を、当該部分領域に対して個別に設定された係数を用いて補正する階調補正処理部と、
前記対象吐出ヘッドが担当する印刷領域に相当する部分領域について設定された係数の値を修正する係数修正部と、
を備える印刷装置。
【請求項４】
請求項１から３のいずれかに記載の印刷装置であって、
前記表示部がタッチパネルにより構成されており、
前記選択位置対応ヘッド特定部が、
前記表示画面内のユーザにより触れられた位置を、選択位置として受け付ける印刷装置。
【請求項５】
請求項１から４のいずれかに記載の印刷装置であって、
前記選択位置対応ヘッド特定部が、
前記表示画面内の、前記表示画面に表示される前記印刷物において前記複数の吐出ヘッドのそれぞれが担当する印刷領域の境界に相当する位置に、分割ラインを表示させる印刷装置。
【請求項６】
吐出ヘッドの吐出口から印刷媒体に向けてインクの液滴を吐出させることによって印刷を行うインクジェット方式の印刷装置における濃度補正方法であって、
ａ）印刷方向に対して交差する方向を幅方向とし、前記印刷媒体の前記幅方向の全体にわたって配列された複数の前記吐出ヘッドと、前記印刷媒体とを、前記印刷方向について相対的に移動させつつ、印刷データに基づいて前記吐出ヘッドからインクの液滴を吐出させて、前記印刷データに基づく仮印刷を行わせる仮印刷工程と、
ｂ）前記ａ）工程により生成された仮印刷物を撮像する工程と、
ｃ）前記仮印刷物の撮像データを表示部に表示させる工程と、
ｄ）前記撮像データを表示する表示画面を介して、ユーザから前記仮印刷物内の位置選択を受け付ける工程と、
ｅ）前記ｄ）工程で受け付けられた選択位置に対する印刷を行った吐出ヘッドを特定する工程と、
ｆ）前記ｅ）工程で特定された吐出ヘッド対象吐出ヘッドが担当する印刷領域の濃度を補正する工程と、
を備える濃度補正方法。
【発明の詳細な説明】
【技術分野】
【０００１】
この発明は、複数のヘッドから記録媒体に向けてインクの液滴を吐出して記録を行うインクジェット方式の印刷装置に関する。
【背景技術】
【０００２】
従来から、インクの微小な液滴を吐出する複数の吐出口が配列された吐出ヘッド（以下単に「ヘッド」という）を印刷媒体に対して走査させることにより、印刷媒体に印刷を行うインクジェット方式の印刷装置（インクジェット装置）が知られている。
【０００３】
インクジェット装置は、少部数、小ロットのオンデマンド印刷において、従来のオフセット印刷機に変わるものとして注目を集めている。ただし、インクジェット装置は、オフセット印刷機に比べて印刷品質の面でまだまだ劣る点があり、その改善が必要とされている。インクジェット装置において印刷画像の画質を改善する技術は、例えば、特許文献１に開示されている。
【０００４】
ところで、インクジェット方式には、所謂「スキャン方式」によるものと、所謂「ワンパス方式」によるものとがある。スキャン方式は、印刷方向と直行する方向（幅方向）についてヘッドを何回か往復させて印刷媒体への画像記録（印刷）を行う方式である。一方、ワンパス方式は、複数のヘッドを、幅方向について印刷媒体の全体にわたって配列し、印刷媒体にヘッド列の下方を一回通過させるのみで、印刷媒体への画像記録を完了させる方式である。ワンパス方式は、スキャン方式に比べて高速な印刷が可能という利点があり、近年において特に注目されている。
【先行技術文献】
【特許文献】
【０００５】
【特許文献１】特開２００５−１９６６４６号公報
【発明の概要】
【発明が解決しようとする課題】
【０００６】
ワンパス方式のインクジェット装置において印刷品質が劣化する原因の１つに、ヘッド間での吐出性能のバラツキがある。複数のヘッド間でインクの吐出量にバラツキがあると、印刷物の幅方向について濃度のむらが生じてしまう（ヘッド間段差）。
【０００７】
当然のことながら、装置の出荷時に各ヘッドの吐出性能が一定になるように調整はされている。しかしながら、実際は、印刷動作が実行される際の使用環境（例えば、温度環境）によって各ヘッドの吐出性能が微妙に変化してしまうため、装置出荷時の調整だけではヘッド間段差の発生を回避することは難しい。つまり、常に良好な印刷品質を担保するためには、印刷動作が実行される際のヘッドの状態を、印刷動作を実行する度毎に確認する必要があるが、従来はそれを簡便に行う術がなかった。
【０００８】
この発明は、上記の課題に鑑みてなされたものであり、どのような使用環境であっても、常に良好な印刷品質を実現可能な技術を提供することを目的とする。
【課題を解決するための手段】
【０００９】
請求項１の発明は、吐出ヘッドの吐出口から印刷媒体に向けてインクの液滴を吐出させることによって印刷を行うインクジェット方式の印刷装置であって、印刷方向に対して交差する方向を幅方向とし、前記印刷媒体の前記幅方向の全体にわたって配列された複数の前記吐出ヘッドと、前記印刷媒体と前記複数の吐出ヘッドとを前記印刷方向について相対的に移動する搬送部と、前記搬送部を制御して前記印刷媒体と前記複数の吐出ヘッドとを前記印刷方向に相対的に移動させつつ、印刷データに基づいて前記吐出ヘッドからインクの液滴を吐出させる印刷制御部と、印刷後の前記印刷媒体である印刷物を撮像する撮像部と、前記複数の吐出ヘッドのうち、補正対象とすべき対象吐出ヘッドを特定する対象吐出ヘッド特定部と、を備え、前記対象吐出ヘッド特定部が、前記撮像部が取得した前記印刷物の撮像データを表示部に表示させる表示制御部と、前記撮像データを表示する表示画面を介してユーザから前記印刷物内の位置選択を受け付けて、受け付けた選択位置に対する印刷を行った吐出ヘッドを特定し、当該吐出ヘッドを前記対象吐出ヘッドとする選択位置対応ヘッド特定部と、を備える。
【００１０】
請求項２の発明は、請求項１に記載の印刷装置であって、前記対象吐出ヘッドが担当する印刷領域の濃度を補正する濃度補正部、を備える。
【００１１】
請求項３の発明は、請求項２に記載の印刷装置であって、前記濃度補正部が、前記印刷データを、前記複数の吐出ヘッドのそれぞれが担当する印刷領域に対応する部分領域に分割し、各部分領域内にある画素の階調値を、当該部分領域に対して個別に設定された係数を用いて補正する階調補正処理部と、前記対象吐出ヘッドが担当する印刷領域に相当する部分領域について設定された係数の値を修正する係数修正部と、を備える。
【００１２】
請求項４の発明は、請求項１から３のいずれかに記載の印刷装置であって、前記表示部がタッチパネルにより構成されており、前記選択位置対応ヘッド特定部が、前記表示画面内のユーザにより触れられた位置を、選択位置として受け付ける。
【００１３】
請求項５の発明は、請求項１から４のいずれかに記載の印刷装置であって、前記選択位置対応ヘッド特定部が、前記表示画面内の、前記表示画面に表示される前記印刷物において前記複数の吐出ヘッドのそれぞれが担当する印刷領域の境界に相当する位置に、分割ラインを表示させる。
【００１４】
請求項６の発明は、吐出ヘッドの吐出口から印刷媒体に向けてインクの液滴を吐出させることによって印刷を行うインクジェット方式の印刷装置における濃度補正方法であって、ａ）印刷方向に対して交差する方向を幅方向とし、前記印刷媒体の前記幅方向の全体にわたって配列された複数の前記吐出ヘッドと、前記印刷媒体とを、前記印刷方向について相対的に移動させつつ、印刷データに基づいて前記吐出ヘッドからインクの液滴を吐出させて、前記印刷データに基づく仮印刷を行わせる仮印刷工程と、ｂ）前記ａ）工程により生成された仮印刷物を撮像する工程と、ｃ）前記仮印刷物の撮像データを表示部に表示させる工程と、ｄ）前記撮像データを表示する表示画面を介して、ユーザから前記仮印刷物内の位置選択を受け付ける工程と、ｅ）前記ｄ）工程で受け付けられた選択位置に対する印刷を行った吐出ヘッドを特定する工程と、ｆ）前記ｅ）工程で特定された吐出ヘッド対象吐出ヘッドが担当する印刷領域の濃度を補正する工程と、を備える。
【発明の効果】
【００１５】
請求項１に記載の発明によると、表示画面に印刷物の撮像データを表示し、当該表示画面を介してユーザが選択した位置に対する印刷を行った吐出ヘッドを特定し、これを補正対象とすべき吐出ヘッドとする。つまり、ユーザが、印刷物内において問題のある位置（例えば、ヘッド間段差が生じている位置）を、印刷物の撮像データが表示された表示画面を介して選択すると、当該問題のある位置の印刷を担当した吐出ヘッドが、補正対象とすべき吐出ヘッドとして直ちに特定される。したがって、実際に印刷を行う段階において、補正対象とすべき吐出ヘッドを簡易かつ適格に特定することができるので、どのような使用環境であっても、常に良好な印刷品質を実現できる。
【００１６】
請求項２に記載の発明によると、対象吐出ヘッドが担当する印刷領域の濃度が補正される。したがって、ユーザが、印刷物においてヘッド間段差が生じている位置を選択すれば、当該ヘッド間段差の原因となった吐出ヘッドが特定され、当該吐出ヘッドが担当する印刷領域の濃度が補正されることになる。したがって、ヘッド間段差を簡易かつ確実に解消することができる。
【００１７】
請求項４に記載の発明によると、表示部がタッチパネルにより構成されているので、ユーザは位置選択を簡易かつ正確に行うことができる。
【００１８】
請求項５に記載の発明によると、表示画面内の、表示画面に表示される印刷物において複数の吐出ヘッドのそれぞれが担当する印刷領域の境界に相当する位置に、分割ラインが表示されるので、印刷物にヘッド間段差が生じている場合に、ユーザはこれを見落としにくくなる。
【００１９】
請求項６に記載の発明によると、表示画面に印刷物の撮像データを表示し、当該表示画面を介してユーザが選択した位置に対する印刷を行った吐出ヘッドを特定し、これを補正対象とすべき対象吐出ヘッドとする。そして、対象吐出ヘッドが担当する印刷領域の濃度を補正する。つまり、ユーザが、印刷物内において問題のある位置（例えば、ヘッド間段差が生じている位置）を、印刷物の撮像データが表示された表示画面を介して選択すると、当該問題のある位置の印刷を担当した吐出ヘッドが、補正対象とすべき吐出ヘッドとして直ちに特定され、当該吐出ヘッドが担当する印刷領域の濃度が補正される。したがって、実際に印刷を行う段階において、補正対象とすべき吐出ヘッドを簡易かつ適格に特定することができるので、どのような使用環境であっても、常に良好な印刷品質を実現できる。さらに、補正対象とすべき吐出ヘッドが担当する印刷領域の濃度が補正されるので、ヘッド間段差を簡易かつ確実に解消することができる。
【図面の簡単な説明】
【００２０】
【図１】印刷装置の外観を示す斜視図である。
【図２】吐出部の底面図である。
【図３】ヘッドユニットの底面図である。
【図４】印刷動作が行われている途中の印刷媒体の様子を模式的に示す平面図である。
【図５】制御装置のハードウェア構成を示すブロック図である。
【図６】制御装置において実現される機能構成を示すブロック図である。
【図７】ＬＵＴにおける入力値と出力値との関係を示す図である。
【図８】ＬＵＴにおける入力値と出力値との関係を示す図である。
【図９】ＬＵＴにおける入力値と出力値との関係を示す図である。
【図１０】シェーディング補正処理の原理を説明するための図である。
【図１１】シェーディング補正処理の原理を説明するための図である。
【図１２】制御装置において実現される機能構成を示すブロック図である。
【図１３】仮印刷読取データ表示画面の構成例を示す図である。
【図１４】ユニット選択ボタン群が表示された仮印刷読取データ表示画面の構成例を示す図である。
【図１５】修正方向選択ボタン群が表示された仮印刷読取データ表示画面の構成例を示す図である。
【図１６】対応テーブルの構成例を示す図である。
【図１７】候補ＬＵＴにおける入力値と出力値との関係を示す図である。
【図１８】候補ＬＵＴにおける入力値と出力値との関係を示す図である。
【図１９】ポイント選択ボタン群が表示された仮印刷読取データ表示画面の構成例を示す図である。
【図２０】印刷装置において実行される印刷動作の流れを示す図である。
【図２１】対象ヘッドを特定する処理の流れを示す図である。
【図２２】対象ＬＵＴを修正する処理の流れを示す図である。
【図２３】複数のＬＵＴの修正を行う場合の処理の流れを示す図である。
【図２４】変形例に係る印刷装置の外観を示す斜視図である。
【発明を実施するための形態】
【００２１】
＜１．印刷装置１＞
＜１−１．全体構成＞
この発明の実施の形態に係る印刷装置１の構成について、図１を参照しながら説明する。図１は、印刷装置１の外観を示す斜視図である。
【００２２】
印刷装置１は、印刷媒体（例えばフィルム等の撥液性を有するシート状の基材）２上にインクジェット方式にてカラー印刷を行う装置であり、本体１００と、本体１００の各部を制御する制御装置３とを備える。
【００２３】
本体１００は、印刷媒体２を所定の方向（Ｙ方向）に搬送する搬送部４と、搬送部４により搬送される印刷媒体２に向けてインクの微小液滴を吐出して印刷媒体２上に画像を印刷する吐出部５を備える。さらに、吐出部５により画像が印刷された印刷媒体２の領域（印刷領域）を撮像する撮像部６を備える。
【００２４】
＜搬送部４＞
搬送部４は、Ｙ方向に沿って配列された複数のローラ４１と、複数のローラ４１の両端に設けられた印刷媒体保持部４２とを備える。複数のローラ４１の＋Ｙ側に配置された印刷媒体保持部４２は、ロール状の印刷媒体２（供給ロール）を保持し、印刷媒体供給部として機能する。複数のローラ４１の−Ｙ側に配置された印刷媒体保持部４２は、ロール状の印刷媒体（巻取ロール）を保持し、印刷媒体巻取部として機能する。以下において「印刷媒体２」は、搬送途上の部位（すなわち、複数のローラ４１上の印刷媒体２の部位）を指すものとする。
【００２５】
複数のローラ４１のいずれかには、印刷媒体２の走査方向の移動速度を検出するエンコーダ４３が設けられており、制御装置３は、エンコーダ４３からの出力に基づいて−Ｙ側に配置された印刷媒体保持部４２のモータの回転を制御する。これによって、印刷媒体２が−Ｙ方向に一定速度で移動することになる。また、制御装置３は、＋Ｙ側に配置された印刷媒体保持部４２のモータの回転を制御して、印刷媒体２に＋Ｙ方向に向かう負荷を付与する。これによって、印刷媒体２が複数のローラ４１上を波打つことなく滑らかに移動することになる。
【００２６】
＜吐出部５＞
本体１００は、その基台２１に固設され、複数のローラ４１を跨ぐようにして配置されたフレーム２２を備えている。吐出部５はこのフレーム２２に固定されることによって、複数のローラ４１の上方（＋Ｚ側）に配置される。なお、フレーム２２には、光源２３が設けられている。光源２３からの光は束状の光ファイバ２４を介して吐出部５の内部に導入される。
【００２７】
ここで、吐出部５の構成について図２を参照しながら説明する。図２は、吐出部５の底面図である。
【００２８】
吐出部５は、吐出部本体５０に固定され、Ｙ方向に沿って配列された複数（この実施の形態においては、４個）のヘッドユニット５１を備える。４個のヘッドユニット５１のそれぞれは、互いに異なる色のインクを吐出する。具体的には、最も（＋Ｙ）側のヘッドユニット５１はＫ（ブラック）の色のインクを吐出する。また、Ｋのヘッドユニット５１の（−Ｙ）側のヘッドユニット５１はＣ（シアン）の色のインクを吐出する。また、Ｃのヘッドユニット５１の（−Ｙ）側のヘッドユニット５１はＭ（マゼンタ）の色のインクを吐出する。そして、最も（−Ｙ）側のヘッドユニット５１はＹ（イエロー）の色のインクを吐出する。各色のインクは紫外線硬化剤を含んでおり、紫外線硬化性を有している。なお、吐出部５が備えるヘッドユニット５１の個数は４個に限らない。例えば、上記の４個のヘッドユニット５１の他に、ライトシアン、ライトマゼンタ、ホワイト等の他の色用のヘッドユニットがさらに設けられてもよい。
【００２９】
また、吐出部５は、４個のヘッドユニット５１の−Ｙ側に設けられた光照射部５２を備える。光照射部５２は、光源２３に接続された光ファイバ２４がＸ方向に沿って配列されており、印刷媒体２上において、Ｘ方向に伸びる線上の領域に紫外線を照射する。
【００３０】
印刷装置１では、各ヘッドユニット５１および光照射部５２は、印刷方向に垂直なＸ方向（幅方向）に関し、印刷媒体２上の印刷領域の全体にわたって設けられている。
【００３１】
次に、図３を参照しながら、ヘッドユニット５１の構成について説明する。図３は、ヘッドユニット５１の底面図である。
【００３２】
ヘッドユニット５１は、印刷媒体２の幅方向（Ｘ方向）の全体にわたって千鳥状に配列されたＮ個（ただし、Ｎは２以上の任意の整数であり、例えば、Ｎ＝２１）のヘッド５１１を備える。
【００３３】
各ヘッド５１１は、印刷媒体２に向けてインクの液滴をその吐出口から吐出する。具体的には、各ヘッド５１１は、例えばピエゾ駆動方式のヘッドであり、その下面（−Ｚ側の面）には複数の吐出口５１１１が幅方向（Ｘ方向）に沿って形成されている。各吐出口５１１１には、これに向かってそれぞれインクを導く吐出流路が設けられ、吐出流路の吐出口５１１１近傍には圧電素子（ピエゾ素子）である駆動部が設けられる。駆動部に吐出信号が付与されると駆動部が変形し、吐出口５１１１近傍において吐出流路の容積が（より具体的には、吐出流路の吐出口５１１１近傍に設けられたチャンバの容積）が減少する。これにより、吐出口５１１１近傍のインク（すなわち、吐出口５１１１にインクを導く吐出流路のチャンバ内のインク）に圧力が加えられて吐出口５１１１からインクの微小液滴が吐出される。そして、駆動部の形状が元に戻ることにより、吐出口５１１１近傍において吐出流路の容積が元に戻り、吐出されたインクの微小液滴と等しい量のインクが吐出流路に供給される。
【００３４】
＜撮像部６＞
再び図１を参照する。撮像部６は、吐出部５に対して、印刷媒体２の搬送方向の下流側（−Ｙ側）に配置され、印刷方向に垂直なＸ方向（幅方向）に平行な線状領域を撮像するラインセンサを備える。搬送部４に搬送されてくる印刷後の印刷媒体２（印刷物）をラインセンサで一ラインずつ撮像することによって、印刷物の撮像データが取得される。
【００３５】
＜１−２．印刷動作の概要＞
印刷装置１において実行される印刷動作の概要について、図４を参照しながら説明する。図４は、印刷動作が行われている途中の印刷媒体２の様子を模式的に示す平面図である。
【００３６】
印刷動作が行われる際には、制御装置３（具体的には、制御装置３が備える印刷制御部３０３（図６参照））が搬送部４を制御することにより、印刷媒体２を印刷方向（すなわち、図１中のＹ方向であり、各ヘッド５１１の複数の吐出口５１１１の配列方向に略垂直に交差する方向）に移動させる。また、印刷制御部３０３は、印刷媒体２の移動と並行して、印刷媒体２に印刷される予定の画像データに基づいて各ヘッドユニット５１が備えるＮ個のヘッド５１１それぞれの複数の駆動部を制御する。すると、印刷媒体２が印刷方向に所定距離だけ移動する毎に、吐出口５１１１からインクの微小液滴が吐出されて印刷媒体２上に付与される。これによって、印刷媒体２上に画像が印刷されることになる。
【００３７】
ただし、上述したとおり、各ヘッドユニット５１においてＮ個のヘッド５１１は、幅方向に関して印刷領域の全体（具体的には、印刷媒体２の幅方向の幅の全体）にわたって配列されている。したがって、印刷媒体２が吐出部５の下方を一回通過するのみで、印刷媒体２への画像の印刷が完了する（所謂、ワンパス印刷方式）。
【００３８】
ところで、ワンパス印刷方式においては、例えば図４に示すようにＮ個のヘッド５１１の全てが印刷に用いられる場合、印刷媒体２をＸ方向（幅方向）についてＮ等分割することにより得られるＮ個の帯状印刷領域２０のそれぞれは、各ヘッドユニット５１が備えるＮ個のヘッド５１１のいずれかによって印刷が担当される。例えば、中央の帯状印刷領域２０の印刷は、各ヘッドユニット５１が備えるＮ個のヘッド５１１のうち、中央に配置されたヘッド５１１が担当する。
【００３９】
ただし、必ずしも常にＮ個のヘッド５１１の全てが印刷に用いられるとは限らず、印刷に利用されるヘッドの個数は印刷媒体２の幅方向のサイズに応じて変わってくる。例えば、その幅が、ヘッド５１１幅５個分に相当する印刷媒体２に対する印刷を行う場合、各ヘッドユニット５１が備えるＮ個のヘッド５１１のうち、例えば中央に配置された５個のヘッド５１１だけが印刷に用いられる。
【００４０】
このように、ワンパス印刷方式においては、各帯状印刷領域２０が別々のヘッド５１１で印刷されるため、ヘッド５１１間で吐出性能にバラツキがあると、特定の帯状印刷領域２０だけが他の領域よりも濃度が濃い（あるいは、薄い）といった濃度むら（ヘッド間段差）が生じてしまう。例えばＣ（シアン）の色のインクを吐出するヘッドユニット５１が備えるＮ個のヘッド５１１のうちのあるヘッド５１１が、他のヘッド５１１よりも吐出過多となっている場合、当該ヘッド５１１が印刷を担当する帯状印刷領域２０は他の帯状印刷領域２０に比べてＣ（シアン）の色が濃く印刷されてしまう。制御装置３においては、以下に説明するように、このようなヘッド間段差の発生を回避するための機能部が実現されている。
【００４１】
＜２．制御装置３＞
＜２−１．ハードウェア構成＞
制御装置３のハードウェア構成について、図５を参照しながら説明する。図５は、制御装置３のハードウェア構成を示すブロック図である。
【００４２】
制御装置３は、一般的なコンピュータにより構成されており、制御部３１、表示部３２、操作部３３、および、記憶部３４をバスライン３５により互いに接続した構成となっている。
【００４３】
制御部３１は、例えばＣＰＵによって構成される。制御部３１により記憶部３４に記憶されるプログラムＰが実行されることによって、制御装置３において、以下に説明する各種の機能が実現される。なお、プログラムＰは、ＣＤ−ＲＯＭ等の記録媒体によって提供されたものであってもよいし、ネットワーク等の通信回線を経由して提供されたものであってもよい。
【００４４】
表示部３２は、液晶表示ディスプレイ等によって構成され、制御部３１で生成される画像データなどを可視的に出力する。一方、操作部３３は、ユーザの各種操作にしたがって各種指令信号を制御部３１に送信する。操作部３３としては、マウスその他のポインティングデバイス、キーボード等を用いることができる。操作部３３は、タッチパネルにより表示部３２と一体化されていてもよい。この実施の形態においては、表示部３２と操作部３３とは、タッチパネルにより一体化されているものとする。
【００４５】
記憶部３４は、例えば半導体メモリ、ハードディスクなどの記憶装置によって構成される。記憶部３４には、制御部３１で実行されるプログラムＰの他、例えば、プログラムＰを実行する際に必要な情報、印刷すべき画像データ、後述するシェーディング補正処理に用いられるテーブル、といった各種の情報が記憶される。
【００４６】
＜２−２．機能構成＞
＜２−２−１．基本となる機能構成＞
制御装置３において実現される機能構成について、図６を参照しながら説明する。図６は、制御装置３において実現される機能構成を示すブロック図である。なお、制御部３１が備える各機能部は、記憶部３４に記憶されたプログラムＰにしたがって制御部３１が演算処理を行うことにより実現されてもよいし、専用のハードウェアによって実現されてもよい。
【００４７】
制御部３１は、印刷媒体２に印刷すべき画像データ（以下「元画像データ７」という）を取得する元画像データ取得部３０１と、元画像データ７に対して後述するシェーディング補正処理を施すシェーディング補正処理部３０２と、シェーディング補正処理が施された後の画像データに基づく印刷動作を、本体１００に実行させる印刷制御部３０３とを備える。
【００４８】
＜元画像データ取得部３０１＞
元画像データ取得部３０１は、元画像データ７を取得する。元画像データ取得部３０１が元画像データ７を取得する態様はどのようなものであってもよい。例えば、外部装置から元画像データ７をオンライン受信してもよく、ＤＶＤ等の可搬型の記憶媒体からのデータの読み取りや、スキャナによる読み取りによって元画像データ７を取得してもよい。あるいは、ネットワークで接続されたファイルサーバなどに元画像データ７を記憶しておき、これを読み込むことによって元画像データ７を取得してもよい。
【００４９】
＜シェーディング補正処理部３０２＞
シェーディング補正処理部３０２は、吐出部５が備える複数のヘッド５１１間の吐出性能の差に起因する濃度むら（ヘッド間段差）の発生を抑制するためのシェーディング補正処理を、元画像データ取得部３０１が取得した元画像データ７に対して施す。シェーディング補正処理については、後に具体的に説明する。
【００５０】
＜印刷制御部３０３＞
印刷制御部３０３は、搬送部４および吐出部５を制御して、シェーディング補正処理部３０２によりシェーディング補正処理が施された後の画像データ（補正後画像データ８）に基づく印刷動作を実行させる。より具体的には、印刷制御部３０３は、搬送部４に印刷媒体２を印刷方向に移動させる。その一方で、印刷制御部３０３は、補正後画像データ８を網掛け処理して印刷用画像を生成し、生成された印刷用画像に基づいて吐出部５の各ヘッドユニット５１が備えるＮ個のヘッド５１１にインクを吐出させる。これにより、元画像データ７が印刷媒体２に印刷されることになる。
【００５１】
元画像データ取得部３０１、シェーディング補正処理部３０２、および、印刷制御部３０３が、印刷を実行するための基本となる機能を構成する。
【００５２】
＜２−２−２．シェーディング補正処理＞
ここで、シェーディング補正処理について説明する。シェーディング補正処理は、記憶部３４に格納されている複数のルックアップテーブル（ＬＵＴ）９を用いて行われる。
【００５３】
＜ＬＵＴ９＞
はじめに、シェーディング補正処理に用いられるＬＵＴ９について説明する。複数のＬＵＴ９のそれぞれは、吐出部５が備える複数のヘッド５１１のそれぞれに対応する。
【００５４】
上述したとおり、吐出部５は、Ｋ（ブラック）、Ｃ（シアン）、Ｍ（マゼンタ）、Ｙ（イエロー）の各インクを吐出するヘッドユニット５１を備え、各ヘッドユニット５１がＮ個のヘッド５１１を備える。記憶部３４には、各ヘッドユニット５１に対応付けられたＬＵＴグループ群９０が形成されており、各ＬＵＴグループ群９０には、当該ＬＵＴグループ群９０が対応するヘッドユニット５１に属するＮ個のヘッド５１１に対応付けられたＮ個のＬＵＴ９が属している。
【００５５】
各ＬＵＴグループ群９０に含まれるＮ個のＬＵＴ９のそれぞれは、対応するヘッド５１１の吐出性能を反映したものとなっている。例えば、吐出量が規定の標準値であるヘッド５１１（標準ヘッド）の場合、対応するＬＵＴ９は、図７に示すように、入力値ｘに対して、標準係数Ｋｏを乗じた出力値ｙ（ｙ＝Ｋｏ＊ｘ）（ただし、記号「＊」は乗算を意味する。以下において同様）を与えるものとされる（このようなＬＵＴ９を、以下「標準ＬＵＴ」ともいう）。なお、標準係数Ｋｏの値は、０〜１の範囲の任意の値とすることができるが、特に、０．２〜０．８の範囲とすることが好ましい。このような範囲内の値としておけば、後述するような吐出過多ヘッド、あるいは、吐出過小ヘッドが発生した場合に、係数を小さく（あるいは大きく）することにより対応することができる。例えば、「Ｋｏ＝０．５」の場合、このＬＵＴ９を通すと、入力値ｘの５０％の出量値ｙが与えられることになる。
【００５６】
一方、吐出量が規定の標準値よりも多いヘッド５１１（吐出過多ヘッド）の場合、対応するＬＵＴ９は、図８に示すように、入力値ｘに対して、標準係数Ｋｏよりも小さい値の係数Ｋａ（Ｋａ＜Ｋｏ）を乗じた出力値ｙ（ｙ＝Ｋａ＊ｘ）を与えるものとされる。つまり、このＬＵＴ９を通すと、同じ入力値ｘについて標準ＬＵＴ９よりも小さい出力値ｙが与えられることになる。ただし、以下に明らかになるように、係数Ｋａの値は、吐出量の標準値からのずれが大きくなるほど、係数Ｋｏから大きくずれた値に設定される。例えば、「Ｋａ＝０．４」の場合、このＬＵＴ９を通すと、入力値ｘの４０％の出力値ｙが与えられることになる。
【００５７】
また、吐出量が規定の標準値よりも少ないヘッド５１１（吐出過小ヘッド）の場合、対応するＬＵＴ９は、図９に示すように、入力値ｘに対して、標準係数Ｋｏよりも大きい値の係数Ｋｂ（Ｋｂ＞Ｋｏ）を乗じた出力値ｙ（ｙ＝Ｋｂ＊ｘ）を与えるものとされる。つまり、このＬＵＴ９を通すと、同じ入力値ｘについて標準ＬＵＴ９よりも大きい出力値ｙが与えられることになる。ただし、係数Ｋｂの値は、吐出量の標準値からのずれが大きくなるほど、係数Ｋｏから大きくずれた値に設定される。例えば、「Ｋｂ＝０．６」の場合、このＬＵＴ９を通すと、入力値の６０％の出力値が与えられることになる。
【００５８】
＜シェーディング補正処理の原理＞
シェーディング補正処理部３０２は、記憶部３４に格納されている複数のＬＵＴ９を用いて、元画像データ７に対するシェーディング補正処理を実行する。ここで、シェーディング補正処理の原理について、図１０〜図１１を参照しながら具体的に説明する。図１０〜図１１は、シェーディング補正処理の原理を説明するための図である。図１０は、シェーディング補正処理されていない元画像データ７に基づいて印刷を実行した場合に得られる印刷後の印刷媒体（印刷物）２の様子を示している。また、図１１は、シェーディング補正処理後の元画像データ７（補正後画像データ８）に基づいて印刷を実行した場合に得られる印刷物２の様子を示している。
【００５９】
上述したとおり、ワンパス印刷方式によると、印刷媒体２上に規定されるＮ個の帯状印刷領域２０のそれぞれが、互いに異なるヘッド５１１によって印刷される（図４参照）。シェーディング補正処理部３０２は、元画像データ７（より具体的には、元画像データ７に基づいて生成される複数の色成分データのそれぞれ（Ｃ（シアン）の成分データ、Ｍ（マゼンタ）の成分データ、Ｙ（イエロー）の成分データ、および、Ｋ（ブラック）の成分データのそれぞれ）を、帯状印刷領域２０のそれぞれに対応する部分領域（帯状データ領域７０）に分割し、各帯状データ領域７０内にある画素の階調値を、対応する帯状印刷領域２０の印刷を担当するヘッド５１１と対応付けられたＬＵＴ９を用いて補正する（シェーディング補正）。
【００６０】
例えば、Ｃ（シアン）の色のインクを吐出するヘッドユニット５１（注目ヘッドユニット５１ｔ）が備えるＮ個のヘッド５１１のうちの１つのヘッド５１１（注目ヘッド５１１ｔ）が吐出過多となっているとする。すると、シェーディング補正処理を行わなかった場合に得られる印刷物２においては、注目ヘッド５１１ｔが印刷を担当する帯状印刷領域２０ｔにヘッド間段差が生じてしまう（図１０）。
【００６１】
元画像データ７に対するシェーディング補正処理を行っておけば、生成される印刷物２にこのようなヘッド間段差は生じない。すなわち、シェーディング補正処理を行うと、注目ヘッド５１１ｔが印刷を担当する帯状印刷領域２０ｔに対応する帯状データ領域７０ｔは、注目ヘッド５１１ｔと対応付けられたＬＵＴ９を用いて補正されることになる。ここで、上述したとおり、吐出過多のヘッド５１１に対応するＬＵＴ９は、同じ入力値について標準ＬＵＴ９よりも小さい出力値を与えるものとされている（図８参照）。したがって、帯状データ領域７０ｔ内にある画素の階調値は、他の領域に比べて低い値に補正される。このように補正された補正後画像データ８に基づく印刷が実行されると、他の領域に比べて低い階調値に補正された帯状データ領域７０ｔが、他の領域を担当するヘッド５１１に比べて吐出過多の注目ヘッド５１１ｔで印刷されることになるため、得られる印刷物２においてはヘッド間段差が生じない（図１１）。
【００６２】
以上説明したとおり、シェーディング補正処理が行われることによって、ヘッド間段差の発生が防止できる。ただし、ヘッド間段差を確実に防止するためには、記憶部３４に格納されたＬＵＴ９が印刷を実行するヘッド５１１の吐出性能を正確に反映していることが前提となる。
【００６３】
ところが、ヘッド５１１の吐出性能は、刷動作が実行される際の環境条件（例えば、温度や湿度など）に応じて微妙に変化する。すなわち、印刷動作を行う度毎に、ヘッド５１１の吐出性能は変化する。したがって、印刷動作を実行する度毎に記憶部３４に格納されたＬＵＴ９を、その時点のヘッド５１１の吐出性能を反映させた内容に修正する必要がある。制御装置３においては、印刷動作を実行する度毎に、ＬＵＴ９の内容を修正する機能が実現されている。
【００６４】
＜３．ＬＵＴ９の修正＞
上述したＬＵＴ９の修正に関する機能を実現する構成について、再び図６を参照しながら説明する。
【００６５】
制御部３１は、元画像データ取得部３０１、シェーディング補正処理部３０２、印刷制御部３０３、の他に、上記機能を実現するための構成として、対象ヘッド特定部３０４とＬＵＴ修正部３０５とを備える。これら各機能部３０４，３０５の構成について、図１２を参照しながら具体的に説明する。
【００６６】
＜３−１．対象ヘッド特定部３０４＞
対象ヘッド特定部３０４は、補正対象とすべきヘッド５１１（以下「対象ヘッド５１１」という）を特定する。ここでは、ＬＵＴ９を修正すべきヘッド５１１（すなわち、ＬＵＴ９の内容と現時点での吐出性能とが一致していないヘッド５１１）が対象ヘッド５１１とされる。ＬＵＴ９の内容と吐出性能とが一致していないヘッド５１１による印刷を行った場合、当該ヘッド５１１が担当する帯状印刷領域２０は、ヘッド間段差となって現れる。
【００６７】
対象ヘッド特定部３０４は、仮印刷読取データ取得部３４１と、仮印刷読取データ表示制御部３４２と、選択位置対応ヘッド特定部３４３と、修正対象ヘッド絞込部３４４とを備える。
【００６８】
＜仮印刷読取データ取得部３４１＞
仮印刷読取データ取得部３４１は、仮印刷読取データ１０を取得する。ただし、「仮印刷読取データ１０」とは、本印刷を実行する前に行われる、印刷状態を確認するための印刷（仮印刷）により得られた印刷物（仮印刷物）２を読み取って取得されるデータである。ただし、仮印刷は、修正前のＬＵＴ９を用いたシェーディング補正処理により得られた補正後画像データ８に基づいて行われる印刷動作である。仮印刷読取データ取得部３４１は、仮印刷が実行されると、得られた仮印刷物２を撮像部６に読み取らせ、得られた読取データを仮印刷物撮像データ１０として取得する。
【００６９】
＜仮印刷読取データ表示制御部３４２＞
仮印刷読取データ表示制御部３４２は、仮印刷物撮像データ１０を表示部３２に表示させる。具体的には、表示部３２に、以下に説明する「仮印刷読取データ表示画面３００」を表示させ、仮印刷読取データ表示画面３００内に規定される「仮印刷物表示領域３１０」に、仮印刷読取データ１０を表示させる。
【００７０】
＜仮印刷読取データ表示画面３００＞
ここで、仮印刷読取データ表示画面３００の構成例について、図１３を参照しながら説明する。図１３は仮印刷読取データ表示画面３００の構成例を示す図である。なお、上述したとおり、表示部３２と操作部３３とは、タッチパネルにより一体化されていて構成されているので、ユーザは、仮印刷読取データ表示画面３００を指で触れることによって各種の指示を入力することができる。
【００７１】
仮印刷読取データ表示画面３００の中央には、長方形の仮印刷物表示領域３１０が規定される。仮印刷物表示領域３１０の内部には、仮印刷物撮像データ１０が表示される。ただし、仮印刷物表示領域３１０の幅方向３１１の全体は、仮印刷読取データ１０の幅方向の全体（すなわち、仮印刷物２の幅方向の全体）と対応している。つまり、仮印刷読取データ１０の幅方向の全体（すなわち、仮印刷物２の幅方向の全体）は、必ず仮印刷物表示領域３１０内に収まることになる。
【００７２】
仮印刷物表示領域３１０の横には、スクロールボタン３２０が表示される。スクロールボタン３２０は、仮印刷物表示領域３１０の高さ方向（幅方向３１１と直交する方向）３１２に、仮印刷読取データ１０の縦方向の全体（すなわち、仮印刷物２の印刷方向（幅方向と直交する方向）の全体）が収まらない場合に、必要に応じて表示領域を移動させるためのＧＵＩ部品である。ユーザは、スクロールボタン３２０を指で触れることによって、表示領域を移動させることができる。
【００７３】
また、仮印刷物表示領域３１０の下には、ページ選択ボタン３３０が表示される。ページ選択ボタン３３０は、仮印刷物２が複数ページにより構成される場合に、仮印刷物表示領域３１０内に表示させるページを選択するためのＧＵＩ部品である。ユーザは、ページ選択ボタン３３０を指で触れることによって、仮印刷物表示領域３１０内に仮印刷物２の任意のページを表示させることができる。
【００７４】
また、仮印刷物表示領域３１０の下には、確定ボタン３４１と本印刷実行開始ボタン３４２とが表示される。確定ボタン３４０は、ユーザが入力した各種の操作を確定させる指示の入力を受け付けるためのＧＵＩ部品である。ユーザは、確定ボタン３４０を指で触れることによって、先に行った入力を確定させることができる。一方、本印刷実行開始ボタン３４２は、本印刷の実行を開始させる指示の入力を受け付けるためのＧＵＩ部品である。ユーザは、本印刷実行開始ボタン３４２を指で触れることによって、本印刷を実行開始させることができる。
【００７５】
また、仮印刷物表示領域３１０の下には、終了ボタン３５０が表示される。終了ボタン３５０は、仮印刷読取データ表示画面３００の表示を終了させる指示の入力を受け付けるためのＧＵＩ部品である。ユーザは、終了ボタン３５０を指で触れることによって、仮印刷読取データ表示画面３００を閉じることができる。
【００７６】
＜選択位置対応ヘッド特定部３４３＞
再び図１２を参照する。選択位置対応ヘッド特定部３４３は、上述した仮印刷読取データ表示画面３００を介してユーザから仮印刷物２内の位置選択を受け付けて、受け付けた選択位置に対する印刷を行ったヘッド５１１を特定する。
【００７７】
選択位置対応ヘッド特定部３４３が、ユーザからの位置選択を受け付けて、受け付けた選択領域に対する印刷を行ったヘッド５１１を特定する態様について、再び図１３を参照しながら説明する。
【００７８】
上述したとおり、選択位置対応ヘッド特定部３４３は、ユーザからの仮印刷物２内の位置選択を、仮印刷読取データ表示画面３００を介して受け付ける。すなわち、仮印刷読取データ表示画面３００は、ユーザからの位置選択を受け付ける受付画面として機能する。
【００７９】
上述したとおり、ワンパス印刷方式においては、各ヘッドユニット５１が備えるＮ個のヘッド５１１のうち印刷物２の幅方向のサイズに応じた個数のヘッド５１１を用いて印刷が行われる。いま、印刷においてＭ（ただし、Ｍ≦Ｎ）個のヘッド５１１が用いられるとすると、印刷物２を幅方向についてＭ分割することで得られるＭ個の帯状印刷領域２０は、それぞれ別のヘッド５１１により印刷が担当されることになる。
【００８０】
選択位置対応ヘッド特定部３４３は、仮印刷物表示領域３１０を幅方向３１１についてＭ分割する分割ライン３１３を表示する。すると、この分割ライン３１３は、仮印刷物表示領域３１０に表示されている仮印刷物２における帯状印刷領域２０の境界に相当する位置に表示されることになる。すなわち、隣接する分割ライン３１３により規定される分割領域３１４は、仮印刷物２の印刷に用いられたＭ個のヘッド５１１のそれぞれが担当する帯状印刷領域２０に相当する。選択位置対応ヘッド特定部３４３は、各分割領域３１４と、当該分割領域３１４に相当する帯状印刷領域２０の印刷を担当したヘッド５１１とを対応付けて記憶している。
【００８１】
ただし、各分割領域３１４に相当する帯状印刷領域２０の印刷を担当したヘッド５１１は、各ヘッドユニット５１についてそれぞれ１個存在する。したがって、各分割領域３１４と対応付けられるヘッド５１１は、ヘッドユニット５１の個数分（この実施の形態においては、４個）存在することになる。
【００８２】
仮印刷物表示領域３１０は、ユーザからの位置選択を受け付けるための受付領域として機能する。すなわち、ユーザが仮印刷物表示領域３１０内の任意の位置を指で触れると、選択位置対応ヘッド特定部３４３は、まず、当該選択位置がＭ個の分割領域３１４のうちのいずれの領域に属するかを特定する。選択位置が属する分割領域３１４が特定されると、選択領域対応ヘッド特定部３４３はさらに、特定された分割領域３１４と対応付けられた４個のヘッド５１１を特定する。この４個のヘッド５１１が、ユーザが選択した位置に対する印刷を行ったヘッド５１１となっている。つまり、これによって、ユーザから受け付けた選択位置に対する印刷を行ったヘッド５１１が特定される。
【００８３】
ただし、ユーザは、仮印刷物表示領域３１０に表示された仮印刷物撮像データ１０をみて、問題のある位置（例えば、ヘッド間段差が生じていると認められる位置）を選択する。なお、ユーザは、位置選択を行う際に、スクロールボタン３２０やページ選択ボタン３３０を適宜操作して、任意のページの任意の領域を仮印刷物表示領域３１０に表示させて、領域を選択することができる。例えば、特に彩色数が多い部分やべた領域が多い部分を仮印刷物表示領域３１０に表示させた状態で位置選択を行えば、ヘッド間段差の発生を見落としにくい。
【００８４】
選択領域対応ヘッド特定部３４３が特定した４個のヘッド５１１の全てを、対象ヘッド５１１としてもよいが、この実施の形態においては、特定された４個のヘッド５１１をさらに１個に絞り込んで、それを対象ヘッド５１１とする。
【００８５】
＜修正対象ヘッド絞込部３４４＞
再び図１２を参照する。修正対象ヘッド絞込部３４４は、選択位置対応ヘッド特定部３４３が特定した４個のヘッド５１１のうちから、修正対象とすべきヘッド５１１を絞り込む。具体的には、修正対象ヘッド絞込部３４４は、選択位置対応ヘッド特定部３４３が特定した４個のヘッド５１１のうち、１のヘッド５１１をユーザに選択させ、選択されたヘッド５１１を修正対象とすべきヘッド５１１（対象ヘッド５１１）として特定する。
【００８６】
修正対象ヘッド絞込部３４４が、修正対象とすべきヘッド５１１を絞り込む態様について、図１４を参照しながら説明する。
【００８７】
修正対象ヘッド絞込部３４４は、仮印刷読取データ表示画面３００に、ユニット選択ボタン群３６０を表示する。ユニット選択ボタン群３６０は、Ｙ（イエロー）のインクを吐出するヘッドユニット５１を選択するユニット選択ボタン３６１、Ｍ（マゼンタ）のインクを吐出するヘッドユニット５１を選択するユニット選択ボタン３６２、Ｃ（シアンのインクを吐出するヘッドユニット５１を選択するユニット選択ボタン３６３、Ｋ（ブラック）のインクを吐出するヘッドユニット５１を選択するユニット選択ボタン３６４、および、ユニット選択を取り消す取消ボタン３６５から構成される。取消ボタン３６５は、いずれかのユニット選択ボタン３６１〜３６４が選択操作された時点から表示する構成としてもよい。
【００８８】
ユニット選択ボタン群３６０は、ユーザから、修正対象とすべきヘッドユニット５１の選択を受けつけるためのＧＵＩ部品である。すなわち、ユーザが、ユニット選択ボタン３６１〜３６４のいずれかを選択して指で触れると、修正対象ヘッド絞込部３４４は、当該選択操作を受け付けて、選択されたヘッドユニット５１を修正対象とすべきヘッドユニット５１として記憶する。そして、選択位置対応ヘッド特定部３４３が特定した４個のヘッド５１１のうち、修正対象とすべきヘッドユニット５１が備えるヘッド５１１を、対象ヘッド５１１として記憶する。
【００８９】
ただし、ユーザは、仮印刷物表示領域３１０に表示された仮印刷物撮像データ１０の中の、先に選択した位置に生じているヘッド間段差の色味をみて、修正対象となるヘッドユニット５１を選択する。例えば、先に選択した位置に、他の領域よりもＹ（イエロー）のインクが濃く（あるいは、薄く）印刷されたヘッド間段差が生じていると認められる場合、Ｙ（イエロー）のインクを吐出するヘッドユニット５１を修正対象とすべきヘッドユニット５１として選択する。
【００９０】
なお、ユニット選択ボタン群３６０を表示する際に、先に選択された分割領域３１４を取り囲む赤色線を表示する、といった表示制御を行えば、ユーザに、どの領域に発生しているヘッド間段差を修正しようとしているかを自然に確認させながら、適切なユニット選択を行わせることができる。
【００９１】
＜３−２．ＬＵＴ修正部３０５＞
再び図１２を参照する。ＬＵＴ修正部３０５は、対象ヘッド特定部３０４により特定された対象ヘッド５１１に対応するＬＵＴ９（以下「対象ＬＵＴ９」という）を修正する。ＬＵＴ修正部３０５は、修正方向決定部３５１と、候補ＬＵＴ生成部３５２と、候補印刷物生成部３５３と、ＬＵＴ選択受付部３５４と、ＬＵＴ書換部３５５とを備える。
【００９２】
＜修正方向決定部３５１＞
修正方向決定部３５１は、対象ＬＵＴ９を修正する方向を決定する。具体的には、修正方向決定部３５１は、対象ＬＵＴ９を＋方向、−方向のどちらに修正するかをユーザに選択させる。
【００９３】
ただし、「ＬＵＴ９を＋方向に修正する」とは、ＬＵＴ９の係数値をより大きな値に修正することを意味する。逆に、「ＬＵＴ９を−方向に修正する」とは、ＬＵＴ９の係数値をより小さな値に修正することを意味する。
【００９４】
対象ヘッド５１１の担当する吐出領域が他の領域よりも濃く印刷されている場合、対象ヘッド５１１は吐出過多となっている。したがってこの場合、対象ＬＵＴ９を、−方向に修正（すなわち、ＬＵＴ９の係数値をより小さな値に修正）する必要がある。ＬＵＴ９の係数値をより小さな値に修正すると、対象ヘッド５１１が担当する帯状印刷領域２０に相当する帯状データ領域７０内にある画素の階調値はさらに低い階調値に補正されることになるため、対象ヘッド５１１が吐出過多であることに起因するヘッド間段差は解消される。
【００９５】
逆に、対象ヘッド５１１の担当する吐出領域が他の領域よりも薄く印刷されている場合、対象ヘッド５１１は吐出過小となっている。したがってこの場合、対象ＬＵＴ９を、＋方向に修正（すなわち、ＬＵＴ９の係数値をより大きな値に修正）する必要がある。ＬＵＴ９の係数値をより大きな値に修正すると、対象ヘッド５１１が担当する帯状印刷領域２０に相当する帯状データ領域７０内にある画素の階調値はさらに高い階調値に補正されることになるため、対象ヘッド５１１が吐出過小であることに起因するヘッド間段差は解消される。
【００９６】
修正方向決定部３５１が、修正方向をユーザに選択させる態様について、図１５を参照しながら説明する。
【００９７】
修正方向決定部３５１は、仮印刷読取データ表示画面３００に、修正方向選択ボタン群３７０を表示する。修正方向選択ボタン群３７０は、対象ＬＵＴ９を＋方向に修正することを選択する方向選択ボタン３７１と、対象ＬＵＴ９を−方向に修正することを選択する修正方向選択ボタン３７２と、既に行った選択操作を取り消すための取消ボタン３７３とから構成される。
【００９８】
修正方向選択ボタン群３７０は、ユーザから、修正方向の選択を受け付けるためのＧＵＩ部品である。すなわち、ユーザが、修正方向選択ボタン３７１，３７２のいずれかを選択して指で触れると、修正方向決定部３５１は、当該選択操作を受け付けて、選択された方向を修正の方向として記憶する。
【００９９】
ただし、ユーザは、仮印刷物表示領域３１０に表示された仮印刷物撮像データ１０の中の、先に選択した領域に生じているヘッド間段差の色味をみて、修正方向を選択する。すなわち、上述したとおり、選択した領域が他の領域よりも濃く印刷されている場合、対象ＬＵＴ９の修正方向として−方向を選択する。逆に、選択した領域が他の領域よりも薄く印刷されている場合、対象ＬＵＴ９の修正方向として＋方向を選択する。
【０１００】
なお、修正方向選択ボタン群３７０を、先に選択されたユニット選択ボタン３７０を挟むように表示すれば、ユーザに、何色のヘッドユニット５１が選択されているかを自然に確認させながら、適切な修正方向の選択を行わせることができる。
【０１０１】
＜候補ＬＵＴ生成部３５２＞
再び図１２を参照する。候補ＬＵＴ生成部３５２は、対象ＬＵＴ９の修正候補となるＬＵＴ（以下「候補ＬＵＴ９１」という）を複数個生成する。具体的には、候補ＬＵＴ生成部３５２は、入力値ｘに対して修正係数Ｋｍを乗じた出力値ｙ（ｙ＝Ｋｍ＊ｘ）を与えるＬＵＴを生成し、候補ＬＵＴ９として取得する。ただし、修正係数Ｋｍの値は、次の式（１）により規定される。
【０１０２】
Ｋｍ＝Ｑ＊Ｋｉ                                            ・・・・（式１）
ただし、（式１）中、「Ｋｉ」は、修正前の対象ＬＵＴ９の係数である。すなわち、修正前の対象ＬＵＴ９は、入力値ｘに対して出力値ｙ（ｙ＝Ｋｉ＊ｘ）を与えるものであったところ、候補ＬＵＴ９１は、入力値ｘに対して出力値ｙ（ｙ＝Ｋｍ＊ｘ＝Ｑ＊（Ｋｉ＊ｘ））を与えるものとなる。
【０１０３】
一方、（式１）中「Ｑ」は対象ＬＵＴ９からの修正の度合いを規定する実効値である。実効値Ｑの具体的な値は、修正ポイントに応じて変化する。修正ポイントと実効値Ｑの関係は、記憶部３４に格納された対応テーブルＴにより規定される。
【０１０４】
図１６には、対応テーブルＴの構成例が示されている。図１６に示されるように、＋の修正方向については、１より大きい値（１．１〜２．０）が実効値Ｑとして規定されており、修正ポイントが大きくなるにつれて実効値Ｑの値は大きくなる。また、−の修正方向については、１より小さい値（０〜０．９）が実効値Ｑとして規定されており、修正ポイントが大きくなるにつれて実効値Ｑの値は小さくなる。
【０１０５】
したがって、修正方向が＋方向である場合、図１７に示すように、修正前の対象ＬＵＴ９が入力値ｘに対して出力値ｙ（ｙ＝Ｋｉ＊ｘ）を与えるものであったとすると、これを＋１ポイント修正した第１候補ＬＵＴ９１１は、入力値ｘに対して出力値ｙ＝（１．１＊Ｋｉ）＊ｘを与えるものとなる。また、修正前の対象ＬＵＴ９を＋２ポイント修正した第２候補ＬＵＴ９１２は、入力値ｘに対して出力値ｙ＝（１．２５＊Ｋｉ）＊ｘを与えるものとなる。また、修正前の対象ＬＵＴ９を＋３ポイント修正した第３候補ＬＵＴ９１３は、入力値ｘに対して出力値ｙ＝（１．５＊Ｋｉ）＊ｘを与えるものとなる。また、修正前の対象ＬＵＴ９を＋４ポイント修正した第４候補ＬＵＴ９１４は、入力値ｘに対して出力値ｙ＝（１．７５＊Ｋｉ）＊ｘを与えるものとなる。また、修正前の対象ＬＵＴ９を＋５ポイント修正した第５候補ＬＵＴ９１３は、入力値ｘに対して出力値ｙ＝（２．０＊Ｋｉ）＊ｘを与えるものとなる。
【０１０６】
一方、修正方向が−方向である場合、図１８に示すように、修正前の対象ＬＵＴ９が入力値ｘに対して出力値ｙ（ｙ＝Ｋｉ＊ｘ）を与えるものであったとすると、これを−１ポイント修正した第１候補ＬＵＴ９１１は、入力値ｘに対して出力値ｙ＝（０．９＊Ｋｉ）＊ｘを与えるものとなる。また、修正前の対象ＬＵＴ９を−２ポイント修正した第２候補ＬＵＴ９１２は、入力値ｘに対して出力値ｙ＝（０．７５＊Ｋｉ）＊ｘを与えるものとなる。また、修正前の対象ＬＵＴ９を−３ポイント修正した第３候補ＬＵＴ９１３は、入力値ｘに対して出力値ｙ＝（０．５＊Ｋｉ）＊ｘを与えるものとなる。また、修正前の対象ＬＵＴ９を−４ポイント修正した第４候補ＬＵＴ９１４は、入力値ｘに対して出力値ｙ＝（０．２５＊Ｋｉ）＊ｘを与えるものとなる。また、修正前の対象ＬＵＴ９を−５ポイント修正した第５候補ＬＵＴ９１３は、入力値ｘに対して出力値ｙ＝（０＊Ｋｉ）＊ｘを与えるものとなる。
【０１０７】
このように、候補ＬＵＴ生成部３５２は、対象ＬＵＴ９を選択された修正方向にそれぞれ１ポイント、２ポイント、３ポイント、４ポイント、５ポイント修正した５個の候補ＬＵＴ９１を生成する。
【０１０８】
＜候補印刷物生成部３５３＞
再び図１２を参照する。候補印刷物生成部３５３は、候補印刷物を生成する。具体的には、候補印刷物生成部３５３は、元画像データ７に対して、候補ＬＵＴ生成部３５２が生成した複数の候補ＬＵＴ９１のそれぞれを用いたシェーディング補正処理をシェーディング補正処理部３０２に行わせる。そして、各シェーディング補正処理により得られた補正後画像データ８に基づく印刷動作を印刷制御部３０３に行わせる。これにより得られる複数の印刷物が、候補印刷物となる。
【０１０９】
＜ＬＵＴ選択受付部３５４＞
ＬＵＴ選択受付部３５４は、対象ＬＵＴ９について生成された複数の候補ＬＵＴ９のうちから、１の候補ＬＵＴ９１をユーザに選択させ、選択された候補ＬＵＴ９１を対象ＬＵＴ９と書き換えるべき候補ＬＵＴ９１として特定する。
【０１１０】
ＬＵＴ選択受付部３５４が、対象ＬＵＴ９と書き換えるべき候補ＬＵＴ９１を特定する態様について、図１９を参照しながら説明する。
【０１１１】
ＬＵＴ選択受付部３５４は、仮印刷読取データ表示画面３００に、ポイント選択ボタン群３８０を表示する。修正方向が＋方向の場合は、ポイント選択ボタン群３８０は、対象ＬＵＴ９を＋１ポイント修正した候補ＬＵＴ９１を選択するポイント選択ボタン３８１、対象ＬＵＴ９を＋２ポイント修正した候補ＬＵＴ９１を選択するポイント選択ボタン３８２、対象ＬＵＴ９を＋３ポイント修正した候補ＬＵＴ９１を選択するポイント選択ボタン３８３、対象ＬＵＴ９を＋４ポイント修正した候補ＬＵＴ９１を選択するポイント選択ボタン３８４、対象ＬＵＴ９を＋５ポイント修正した候補ＬＵＴ９１を選択するポイント選択ボタン３８５、および、ポイント選択を取り消す取消ボタン３８６から構成される。修正方向が−方向の場合は、それぞれ「＋」の部分が「−」とされた同様のポイント選択ボタンが表示される。
【０１１２】
ポイント選択ボタン群３８０は、ユーザから、修正ポイントの選択を受け付けるためのＧＵＩ部品である。すなわち、ユーザが、選択ボタン３８１〜３８５のいずれかを指で触れると、ＬＵＴ選択受付部３５４は、当該選択操作を受け付けて、選択された修正ＬＵＴ９２を、対象ＬＵＴ９と書き換えるべき候補ＬＵＴ９１として記憶するとともに、選択されなかった候補ＬＵＴ９１を削除する。なお、ＬＵＴ選択受付部３５４が、対象ＬＵＴ９と書き換えるべき候補ＬＵＴ９１として特定した候補ＬＵＴ９１を以下「選択候補ＬＵＴ９２」という。
【０１１３】
ただし、ユーザは、候補印刷物生成部３５３が生成した複数の候補印刷物を見て、ヘッド間段差を解消できる最適な候補ＬＵＴ９１を選択することができる。例えば、先に選択した領域が、他の領域よりもインクが濃く印刷されることによりヘッド間段差が生じていた場合、複数の候補印刷物では、当該領域が段階的に薄くなっている。そこで、ユーザは、複数の候補印刷物をみて、その中で、問題となる領域のヘッド間段差が丁度解消されているものを特定し、当該候補印刷物を与える候補ＬＵＴ９１を選択することによって、ヘッド間段差を適切に解消できる修正ＬＵＴ９２を選択することができる。
【０１１４】
なお、修正ポイント選択ボタン群３６０を、修正方向選択ボタン群３７０が表示されていた位置と同じ位置に表示すれば、ユーザに、一連の選択入力を違和感なく行わせることができる。
【０１１５】
＜ＬＵＴ書換部３５５＞
ＬＵＴ書換部３５５は、対象ＬＵＴ９の内容を、選択候補ＬＵＴ９２の内容に書き換える。具体的には、ユーザが、上述した確定ボタン３４０を指で触れると、ＬＵＴ書換部３５５は、対象ＬＵＴ９の内容を、選択候補ＬＵＴ９２の内容に書き換える。これによって、対象ＬＵＴ９が、対応するヘッド５１１の現時点での吐出性能を反映したものに修正されることになる。
【０１１６】
＜４．処理の流れ＞
＜４−１．全体の処理の流れ＞
印刷装置１において実行される印刷動作の流れについて、図２０を参照しながら説明する。図２０は、当該処理の流れを示す図である。
【０１１７】
ユーザから印刷処理の開始を受け付けると制御装置３は印刷処理を開始する。すなわち、まず、元画像データ取得部３０１が、元画像データ７を取得する（ステップＳ１）。
【０１１８】
続いて、本印刷に先立って、仮印刷が行われる（ステップＳ２）。具体的には、ステップＳ１で取得された元画像データ７に対して、シェーディング補正処理部３０２がシェーディング補正処理を行い、得られた補正後画像データ８に基づいて印刷制御部３０３が印刷動作を実行することにより、仮印刷物２が生成される。
【０１１９】
続いて、ＬＵＴ９の修正処理が行われる（ステップＳ３）。すなわち、まず、対象ヘッド特定部３０４が、吐出性能が前回修正処理から変化しているヘッド５１１（対象ヘッド５１１）を特定する（ステップＳ３１）。そして、ＬＵＴ修正部３０５が、対象ヘッド５１１に対応するＬＵＴ９（対象ＬＵＴ９）の内容を、現時点の対象ヘッド５１１の吐出性能を反映したものに修正する（ステップＳ３２）。ステップＳ３１，Ｓ３２の処理の流れについては、後により詳細に説明する。
【０１２０】
ＬＵＴ９の修正処理が完了すると、本印刷が行われる（ステップＳ４）。具体的には、ステップＳ１で取得された元画像データ７に対して、シェーディング補正処理部３０２が、修正後のＬＵＴ９を用いてシェーディング補正処理を行う。そして、得られた補正後画像データ８を網掛け処理して印刷用画像を生成し、生成された印刷用画像に基づいて印刷制御部３０３が印刷動作を実行することにより、本印刷物が生成される。
【０１２１】
このように、ＬＵＴ修正部３０５により修正されたＬＵＴ９（すなわち、印刷を実行する時点の各ヘッド５１１の吐出性能と一致するように修正されたＬＵＴ９）を用いてシェーディング補正処理が行われることによって、対象ヘッド５１１が担当する印刷領域の濃度が調整され、ヘッド間段差の発生が抑制される。すなわち、ＬＵＴ修正部３０５とシェーディング補正処理部３０２とが協働して、対象ヘッド特定部３０４により特定された対象ヘッド５１１が担当する印刷領域の印刷濃度を補正する濃度補正部３０６として機能する（図６参照）。
【０１２２】
＜４−２．対象ヘッド５１１を特定する処理の流れ＞
対象ヘッド５１１を特定する処理（図３０のステップＳ３１）の流れについて、図２１を参照しながら説明する。図２１は、当該処理の流れを示す図である。
【０１２３】
はじめに、仮印刷読取データ取得部３４１が仮印刷物撮像データ１０を取得する（ステップＳ１１）。具体的には、仮印刷読取データ取得部３４１は、ステップＳ２で生成された仮印刷物２を撮像部６に読み取らせ、得られた読取データを仮印刷読取データ１０として取得する。
【０１２４】
続いて、仮印刷読取データ表示制御部３４２が、ステップＳ１１で取得された仮印刷物撮像データ１０を表示部３２に表示させる（ステップＳ１２）。これにより、表示部３２に、図１３に例示する仮印刷読取データ表示画面３００が表示される。
【０１２５】
ステップＳ１２で表示された仮印刷読取データ表示画面３００を介して、ユーザから仮印刷物２内の位置選択を受け付けると（ステップＳ１３でＹＥＳ）、選択位置対応ヘッド特定部３４３は、受け付けた選択位置に対する印刷を行った４個のヘッド５１１を特定する（ステップＳ１４）。
【０１２６】
続いて、修正対象ヘッド絞込部３４４が、仮印刷読取データ表示画面３００にユニット選択ボタン群３６０を表示する（図１４）（ステップＳ１５）。
【０１２７】
修正対象とすべき１のヘッドユニット５１の選択をユーザから受け付けると（ステップＳ１６でＹＥＳ）、修正対象ヘッド絞込部３４４は、ステップＳ１３で特定された４個のヘッド５１１のうち、ステップＳ１６で選択されたヘッドユニット５１が備えるヘッド５１１を、修正対象とすべき対象ヘッド５１１として特定する（ステップＳ１７）。
【０１２８】
＜４−３．対象ＬＵＴ９を修正する処理の流れ＞
対象ヘッド５１１と対応するＬＵＴ９（対象ＬＵＴ９）を修正する処理（図２０のステップＳ３２）の流れについて、図２２を参照しながら説明する。図２２は、当該処理の流れを示す図である。
【０１２９】
はじめに、修正方向決定部３５１が、仮印刷読取データ表示画面３００に修正方向選択ボタン群３７０を表示する（図１５）（ステップＳ２１）。
【０１３０】
対象ＬＵＴ９を修正する方向の選択をユーザから受け付けると（ステップＳ２２でＹＥＳ）、修正方向決定部３５１は、選択された方向を修正の方向として記憶する（ステップＳ２３）。
【０１３１】
続いて、候補ＬＵＴ生成部３５２が、対象ＬＵＴ９の修正候補となる複数の候補ＬＵＴ９１を生成する（ステップＳ２４）。
【０１３２】
続いて、候補印刷物生成部３５３が、複数の候補印刷物を生成する（ステップＳ２５）。具体的には、候補印刷物生成部３５３が、ステップＳ２４で生成された複数の候補ＬＵＴ９１のそれぞれを用いたシェーディング補正処理をシェーディング補正処理部３０２に行わせ、得られた複数の補正後画像データ８のそれぞれに基づく印刷動作を印刷制御部３０３に実行させる。これによって、複数の候補印刷物が生成される。
【０１３３】
続いて、ＬＵＴ選択受付部３５４が、仮印刷読取データ表示画面３００に、ポイント選択ボタン群３８０を表示する（図１９）（ステップＳ２６）。
【０１３４】
対象ＬＵＴ９と書き換えるべき候補ＬＵＴ９１の選択をユーザから受け付けると（ステップＳ２７でＹＥＳ）、ＬＵＴ選択受付部３５４は、選択された候補ＬＵＴ９１を選択候補ＬＵＴ９２として特定する（ステップＳ２８）。
【０１３５】
続いて、ＬＵＴ書換部３５５が、対象ＬＵＴ９の内容を、選択候補ＬＵＴ９２の内容に書き換える（ステップＳ２９）。
【０１３６】
＜５．効果＞
上記の実施の形態によると、対象ヘッド特定部３０４が、表示部３２に仮印刷読取データ１０が表示された仮印刷読取データ表示画面３００を介してユーザが選択した位置に対する印刷を行ったヘッド５１１を特定し、これを補正対象とすべき吐出ヘッド（対象ヘッド５１１）とする。つまり、ユーザが、仮印刷物内において問題のある位置（例えば、ヘッド間段差が生じている位置）を、仮印刷読取データ表示画面３００を介して選択すると、当該問題のある位置の印刷を担当したヘッド５１１が、対象ヘッド５１１として直ちに特定される。したがって、例えば、吐出性能が変化しているヘッドのように、補正する必要があるヘッドが発生している場合に、当該ヘッドを、実際に本印刷を行う直前の段階において簡易かつ適格に特定することができる。したがって、どのような使用環境であっても、常に良好な印刷品質を実現できる。
【０１３７】
特に、上記の実施の形態においては、濃度補正部３０６が、対象ヘッド５１１が担当する印刷領域の濃度を補正する。したがって、ヘッド間段差を簡易かつ確実に解消することができる。
【０１３８】
特に、上記の実施の形態においては、表示部３２がタッチパネルにより構成されているので、ユーザは位置選択を簡易かつ正確に行うことができる。
【０１３９】
特に、上記の実施の形態においては、仮印刷読取データ表示画面３００の仮印刷物表示領域３１０に分割ライン３１３が表示されるので、仮印刷物にヘッド間段差が生じている場合に、ユーザはこれを見落としにくくなる。
【０１４０】
＜６．変形例＞
以上、本発明の実施の形態について説明してきたが、本発明は上記実施の形態に限定されるものではなく、様々な変形が可能である。
【０１４１】
＜６−１．複数のＬＵＴ９を修正＞
例えば、上記の実施の形態に係るＬＵＴ９の修正処理（図２０のステップＳ３）において、同時に複数のＬＵＴ９の修正を行うこともできる。この場合の処理の流れについて、図２３を参照しながら説明する。図２３は、当該処理の流れを示す図である。
【０１４２】
まず、対象ヘッド特定部３０４が、１個の対象ヘッド５１１を特定する（ステップＳ１０１）。この処理は、上述したとおりである。
【０１４３】
続いて、ＬＵＴ修正部３０５が、ステップＳ１０１で特定された対象ヘッド５１１と対応する対象ＬＵＴ９の修正方向を特定し、当該対象ＬＵＴ９の修正候補となる複数の候補ＬＵＴ９１を生成する（ステップＳ１０２）。この処理は、上述したステップＳ２１〜ステップＳ２４と同様である。
【０１４４】
さらに別のヘッド５１１を対象ヘッド５１１とする場合、続いて、再びステップＳ１０１〜ステップＳ１０２の処理を行う。ステップＳ１０１〜ステップＳ１０２の処理を任意の回数だけ繰り返して行うことによって、任意の個数のヘッド５１１を対象ヘッド５１１として選択することができる。
【０１４５】
対象ヘッド５１１とすべき全てのヘッド５１１が選択され、選択された全ての対象ヘッド５１１について候補ＬＵＴ９１が生成されると（ステップＳ１０３でＹＥＳ）、候補印刷物生成部３５３が候補印刷物を生成する（ステップＳ１０４）。ただし、ここでは、先に、１以上の対象ＬＵＴ９のそれぞれについて、複数の候補ＬＵＴ９１が生成されている。したがって、ステップＳ３４の処理において、候補印刷物生成部３５３は、各対象ＬＵＴ９について生成された複数の候補ＬＵＴ９１の全通りの組み合わせを生成する。そして、生成された１以上の組み合わせのそれぞれを用いたシェーディング補正処理をシェーディング補正処理部３０２に行わせる。さらに、得られた複数の補正後画像データ８のそれぞれに基づく印刷動作を印刷制御部３０３に実行させる。これによって、複数の候補印刷物が生成されることになる。
【０１４６】
例えば、２個のヘッド５１１が対象ヘッド５１１として選択されている場合、各対象ヘッド５１１に対応する対象ＬＵＴ９について５個の候補ＬＵＴ９１が生成されるので、候補ＬＵＴ９１の組み合わせ数は２５通りとなる。したがって、この場合、２５枚の候補印刷物が生成されることになる。
【０１４７】
なお、全通りの組み合わせを生成するのではなく、例えば、ポイント数が同じ候補ＬＵＴ９１同士の組み合わせのみを生成して、各組み合わせに係る候補印刷物を生成する構成としてもよい。
【０１４８】
続いて、ＬＵＴ選択受付部３５４が、ユーザからの選択を受け付けて、１以上の対象ＬＵＴ９のそれぞれについて、当該対象ＬＵＴ９と書き換えるべき選択候補ＬＵＴ９２を特定する（ステップＳ１０５）。具体的には、各対象ＬＵＴ９について生成された複数の候補ＬＵＴ９１の組み合わせの中から、ユーザに１の組み合わせを選択させ、選択された組み合わせを構成する各候補ＬＵＴ９１を選択候補ＬＵＴ９２に特定する。
【０１４９】
なお、組み合わせを選択させるのではなく、各対象ＬＵＴ９について、複数の候補ＬＵＴ９１のうちから１の候補ＬＵＴ９１を１つずつ選択させてもよい。
【０１５０】
続いて、ＬＵＴ書換部３５５が、１以上の対象ＬＵＴ９それぞれの内容を、当該対象ＬＵＴ９に係る選択候補ＬＵＴ９２の内容に書き換える（ステップＳ１０６）。
【０１５１】
＜６−２．その他の変形例＞
上記の実施の形態においては、仮印刷物表示領域３１０に分割ライン３１１を表示していたが、この表示は必ずしも行わなくともよい。ただし、分割ライン３１１を表示しておけば、ユーザはヘッド間段差が生じている場所を見落としにくくなるという利点がある。
【０１５２】
また、上記の実施の形態においては、シェーディング補正処理に用いるＬＵＴ９を記憶部３４に格納する構成としたが、ＬＵＴ９ではなく、変換率を規定する係数の値を記憶する構成としてもよい。この場合、シェーディング補正処理を行う際に、記憶された係数の値を用いて関数に展開すれば、ＬＵＴ９を得ることができる。なお、ＬＵＴ９ではなく３次関数を使用したシェーディング補正を行ってもよい。
【０１５３】
また、上記の実施の形態において、選択位置対応ヘッド特定部３４３は、仮印刷読取データ表示画面３００内に複数の分割領域３１４を規定している。ここで、仮印刷物２の幅方向のサイズが大きくなるにつれて、印刷に用いられるヘッド５１１の個数が多くなるところ、仮印刷物表示領域３１０のサイズは限られているため、印刷に用いられるヘッド５１１の個数が多くなると、分割領域３１４の幅は小さくなる。このような場合に備えて、仮印刷物表示領域３１０内の特定の領域を拡大表示するような機能をさらに設けてもよい。
【０１５４】
また、上記の実施の形態においては、対象ヘッド５１１に対する濃度補正は、濃度補正部３０６により行われる構成としていたが、対象ヘッド５１１に対する濃度補正を行う態様はこれに限らない。また、補正を行う機能部を設けずに、対象ヘッド特定部３０４が特定した補正が必要なヘッド５１１を、ユーザに報知する（例えば、表示部３２にヘッド番号を表示する）に留めてもよい。
【０１５５】
また例えば、上記の実施の形態においては、印刷装置１は、印刷媒体２を走査方向に移動する搬送部４７により、複数の吐出口の配列方向に交差する走査方向に印刷媒体２が吐出部５に対して一定速度にて移動する構成としたが、印刷媒体２を吐出部５に対して相対的に走査方向に移動する走査機構は様々な構成にて実現可能である。例えば、吐出部を走査方向に移動する機構が設けられてもよい。また、図２４に示す印刷装置１ａ（枚葉式の印刷装置）のように、矩形の印刷媒体２を保持するステージ２０１、および、ステージ２０１を走査方向（図２４中のＹ方向）に移動するステージ移動機構２０２が設けられてもよい。なお、図２４の印刷装置１ａでは、基台２００上に設けられる位置検出モジュール２０３により、基台２００に対するステージ２０１の位置が検出可能となっている。
【０１５６】
また、印刷装置１における印刷媒体２は、上述したようなシート状の基材であってもよいし、プラスチックにて形成される板状の部材や印刷用紙等であってもよい。
【符号の説明】
【０１５７】
１    印刷装置
３    制御装置
４    搬送部
５    吐出部
６    撮像部
５１    ヘッドユニット
３００    仮印刷読取データ表示画面
３０１    元画像データ取得部
３０２    シェーディング補正処理部
３０３    印刷制御部
３０４    対象ヘッド特定部
３０５    ＬＵＴ修正部
５１１    ヘッド
【図１】
2011206932.tif 000003
【図２】
2011206932.tif 000004
【図３】
2011206932.tif 000005
【図４】
2011206932.tif 000006
【図５】
2011206932.tif 000007
【図６】
2011206932.tif 000008
【図７】
2011206932.tif 000009
【図８】
2011206932.tif 000010
【図９】
2011206932.tif 000011
【図１０】
2011206932.tif 000012
【図１１】
2011206932.tif 000013
【図１２】
2011206932.tif 000014
【図１３】
2011206932.tif 000015
【図１４】
2011206932.tif 000016
【図１５】
2011206932.tif 000017
【図１６】
2011206932.tif 000018
【図１７】
2011206932.tif 000019
【図１８】
2011206932.tif 000020
【図１９】
2011206932.tif 000021
【図２０】
2011206932.tif 000022
【図２１】
2011206932.tif 000023
【図２２】
2011206932.tif 000024
【図２３】
2011206932.tif 000025
【図２４】
2011206932.tif 000026